(57)【要約】【課題】  本発明は、保冷庫の底部における結露を防止することで、収納室の地上からの高さ位置を低くすることで、穀物袋の収納室への収納作業や取り出し作業をし易い保冷庫にすることを課題とする。【解決手段】  筐体（１）の内部に収納室（２）を備えた穀粒袋収納用保冷庫において、筐体（１）の正面側に縦軸芯に回動する開閉扉（３）を設け、開閉扉（３）を開くと収納室（２）が開口する構成とし、開閉扉（３）と筐体（１）との当接部の下端部に風供給装置（Ｋ）の風を送風する構成とし、風供給装置（Ｋ）は筐体（１）の側面（１ｂ）に取り付け、風を送風するファン（７）を開閉扉（３）と筐体（１）との当接部の下端部に向ける。【選択図】  図１
2014009821.tif 000002
【特許請求の範囲】
【請求項１】
筐体の内部に収納室を備えた穀粒袋収納用保冷庫において、筐体の外壁の底面に風を送風する風供給装置を設けることを特徴とする穀粒袋収納用保冷庫。
【請求項２】
風供給装置は筐体の側面に取り付け、風を送風するファンを筐体の底面に向けることを特徴とする請求項１記載の穀粒袋収納用保冷庫。
【請求項３】
筐体の内部に収納室を備えた穀粒袋収納用保冷庫において、筐体の正面側に縦軸芯に回動する開閉扉を設け、開閉扉を開くと収納室が開口する構成とし、開閉扉と筐体との当接部の下端部に風供給装置の風を送風する構成とすること特徴とする穀粒袋収納用保冷庫。
【請求項４】
風供給装置は筐体の側面に設け、風を送風するファンを開閉扉と筐体との当接部の下端部に向けることを特徴とする請求項３記載の穀粒袋収納用保冷庫。
【請求項５】
風供給装置のファンを取付けプレートを介して筐体の側面に取付ける構成とし、ファンは収納室内を冷却する冷却機の電源と別の電源で運転する請求項２又は請求項４記載の穀粒袋収納用保冷庫。
【請求項６】
風供給装置は湿度センサを設け、湿度センサが設定湿度を検出するとファンを運転させる請求項１から請求項５いずれか記載の穀粒袋収納用保冷庫。
【発明の詳細な説明】
【技術分野】
【０００１】
本発明は、穀物を収容した穀物袋を収納する保冷庫に関する。
【背景技術】
【０００２】
特許文献１には、観音開き型の扉を冷蔵庫が開示されている。そして、両扉の突合せ部分に結露が発生しないように温風を備える。
【先行技術文献】
【特許文献】
【０００３】
【特許文献１】特開２００３−９０６７１号公報
【発明の概要】
【発明が解決しようとする課題】
【０００４】
穀物袋は重いので、収納作業や取出作業のためには、収納室の地上からの高さ位置が低いことが望ましく、そのためには、保冷庫の底部を極力地面から低い位置にあることが望ましい。しかしながら、保冷庫は外壁の底面が結露し易いので、あまり地上から低い位置にあると、通気性が悪く結露した水が外壁の底面に悪影響を及ぼす。
【０００５】
本発明は、保冷庫の底部における結露を防止することで、収納室の地上からの高さ位置を低くすることで、穀物袋の収納室への収納作業や取り出し作業をし易い保冷庫にすることを課題とする。
【課題を解決するための手段】
【０００６】
本発明は、かかる技術的課題を解決するために次のような技術的手段を講じる。
請求項１記載の発明では、筐体（１）の内部に収納室（２）を備えた穀粒袋収納用保冷庫において、筐体（１）の外壁の底面に風を送風する風供給装置（Ｋ）を設ける。
【０００７】
請求項２記載の発明では、請求項１記載の発明において、風供給装置は筐体（１）の側面に設け、風を送風するファン（７）を筐体（１）の底面に向ける。
請求項３記載の発明においては、筐体（１）の内部に収納室（２）を備えた穀粒袋収納用保冷庫において、筐体（１）の正面側に縦軸芯に回動する開閉扉（３）を設け、開閉扉（３）を開くと収納室（２）が開口する構成とし、開閉扉（３）と筐体（１）との当接部の下端部に風供給装置（Ｋ）の風を送風する構成とする。
【０００８】
請求項４記載の発明においては、請求項３記載の発明において、風供給装置（Ｋ）は筐体（１）の側面に取り付け、風を送風するファン（７）を開閉扉（３）と筐体（１）との当接部の下端部に向ける。
【０００９】
請求項５記載の発明では、請求項２又は請求項４記載の発明において、風供給装置（Ｋ）のファン（７）を取付けプレート（１０）を介して筐体（１）の側面に取付ける構成とし、ファン（７）は収納室（２）内を冷却する冷却機（５）の電源と別の電源で運転する。
【００１０】
請求項６記載の発明では、請求項１から請求項５いずれか記載の発明において、風供給装置（Ｋ）は湿度センサ（８）を設け、湿度センサ（８）が設定湿度を検出するとファン（７）を運転させる。
【発明の効果】
【００１１】
請求項１記載の発明によると、筐体底面に結露が生じ難く、筐体の高さ位置を低くすることができるため、収納室の地上高さ位置を低くすることができる。それにより、重い穀粒袋の収納室への収納作業及び取り出し作業をし易くすることができる。また、筐体１底部の結露防止用の断熱材の厚さを薄くした保冷庫を使用することが可能となり、その分、収納室２の地上設置高さを低くすることができると共に、保冷庫全体の重量を軽くすることができ、設置作業をし易くすることができる。
【００１２】
請求項２記載の発明によると、ファンの送風を筐体の底部に沿って左右方向に供給することで、作業者の上体に風が当たることによる不快感を防止することができる。
請求項３記載の発明によると、開閉扉の下端部から漏れ易い結露水を蒸発させることができる。筐体の高さ位置を低くすることができるため収納室の地上高さ位置を低くすることができるため、重い穀粒袋の収納室への収納作業及び取り出し作業をし易くすることができる。
【００１３】
請求項４記載の発明によると、ファンの送風を開閉扉と筐体との当接部の下端部に向けて供給することで、作業者の上体に風が当たることによる不快感を防止することができる。
【００１４】
請求項５記載の発明によると、風供給装置を既存の保冷庫にも後付で取付けることができる。
請求項６記載の発明によると、保冷庫周囲の湿度が高く、底面に結露が生じ易い時にファンが運転するので節電できる。
【図面の簡単な説明】
【００１５】
【図１】穀粒袋収納用保冷庫の斜視図
【図２】穀粒袋収納用保冷庫の正面図
【図３】穀粒袋収納用保冷庫の側面図
【図４】屋外用の穀粒袋収納用保冷庫の斜視図
【発明を実施するための形態】
【００１６】
本発明の実施の形態の保冷庫について、以下説明する。
方形の筐体１の内部に穀粒袋Ｈを収納する収納室２を設け、収納室２の正面側に縦軸芯に回動する開閉扉３を設ける。開閉扉３は観音扉式とし、開閉扉３を開放することで穀粒袋Ｈを収納室２に図２に示すように多段に段積みして収納する。本実施の形態の穀粒袋Ｈは玄米約１０ｋｇ〜３０ｋｇを収容できる袋である。
【００１７】
筐体１の底面１ａには筐体１を支える脚部４を設け、脚部４はアジャストボルトタイプで筐体１の高さ位置を調節できる構成である。脚部４とは別に保冷庫を移送するための車輪１３を設けている。
【００１８】
筐体１の上面１ｃには収納室２内に冷気を供給する冷気供給装置５ａと、冷気供給手段５ａを制御するコントローラ５ｂを内蔵する冷却機５を搭載している。冷却機５の正面側には操作盤６を設けている。冷却機５の後部からは冷却機５のコンセント１４を設けている。
【００１９】
筐体１の一側に送風ファン７と湿度センサ８と電源に接続するコンセント９を備える風供給装置Ｋを設ける。風供給装置Ｋは取付けプレート１０を介して筐体１の外壁の側面１ｂに取付ける構成とし、保冷庫の冷却機５とは別の電源で駆動する構成としている。送風ファン７は開閉扉３の下端部３ｂと筐体１が当接する部分に向けて送風する構成としている。すなわち、筐体１の一側から他側に向かって左右方向Ｂに沿って送風する。風供給装置Ｋは筐体１の側面にタップ等で取り付け孔（図示せず）を形成し、取付けプレート１０を取付け螺子１５で取付けることで、既存の保冷庫にも後付で取付けることができる。また、風供給装置Ｋは着脱が可能である。また、筐体１の側面１ｂの所望の場所に設けることが可能で、複数の風供給装置Ｋを並列して取付けることで筐体１の底面全体に風を送風して結露を防止することも可能である。
【００２０】
送風ファン７は湿度センサ８が設定以上の湿度を検出すると、送風ファン７が駆動を開始する。そして、駆動開始から設定時間経過後、または湿度センサ８が設定湿度以下を検出すると送風ファン７が停止する構成としている。設定以上の湿度とは露点であることが望ましい。
【００２１】
送風ファン７の送風により、特に図１に示すように、観音扉式の一対の開閉扉３の間の下端部から床面Ｙへ漏れる結露水Ｓを蒸発させることができる。
本実施の形態による効果を以下説明する。
【００２２】
本実施の形態により、筐体１の底面１ａや開閉扉３の下端部３ｂと筐体１との当接部に結露が生じ難くなり、筐体１の高さ位置を低くなるように脚部４を調節できるため収納室２の地上高さ位置を低くすることができる。それにより、重い穀粒袋Ｈの収納室２への出し入れをし易くすることができる。また、本実施の形態の風供給装置Ｋを利用することにより、筐体１底部の結露防止用の断熱材の厚さを薄くした保冷庫を使用することが可能となり、その分、収納室２の地上設置高さを低くすることができると共に、保冷庫全体の重量を軽くすることができ、設置作業をし易くすることができる。また、保冷庫周囲の湿度が高く、結露が生じ易い時にファンが運転するので節電できる。また、風供給装置Ｋは筐体１の側面に取付けるので、開閉扉３の開閉動作や穀粒袋Ｈの収納室２への出し入れ作業に障害がない。また、送風を筐体１の底部又は開閉扉３の下端部に沿って左右方向に供給することで、作業者の上体に送風ファン７の風が当たることによる不快感を防止することができる。
【００２３】
本実施の形態の風供給装置Ｋでは、既存の保冷庫に後付するための構成のため、保冷庫本体とは別電源としているが、別実施例として、保冷庫の一部として構成し、保冷庫本体と同一の電源としても良い。この場合、風供給装置Ｋを筐体１の背面１ｄの下端部に取付けることで、保冷庫全体の美観を良好にし、また、保冷庫の側方に隣接して別の装置等を載置しやすくすることができる。観音扉式の開閉扉タイプの保冷庫においては、筐体１の背面１ｄの下端部の左右中央部に送風ファンを前側に向けて設けることで、前述の開閉扉３の間の下端部から床面Ｙへ漏れる結露水Ｓを蒸発させることができる。
【００２４】
それにより、あらかじめ筐体１底部の結露防止用の断熱材の厚さを薄くした保冷庫とすることができる。また、本実施の形態では、観音扉のタイプの保冷庫について記載しているが、片面扉タイプの保冷庫でも利用できる。
【００２５】
次に、屋外用保冷庫について説明する。
特開２０１２−３７０９０に記載の屋外用保冷庫との相違点を中心に以下説明する。
保冷庫の筐体１及び冷却機５の上方にドーム型の屋根１１を設ける。屋根１１の支持部材１２は筐体１の上面１ｃに取付け、屋根１１の前後左右を保冷庫の前後左右いずれも広く覆う構成である。屋根１１を透明性の樹脂材を使用している。
【００２６】
保冷庫の開閉扉３の上面３ａを左右外側に向かって下がり傾斜に形成している。また、開閉扉３の上面３ａを前側に向かって下がり傾斜に形成している。この構成により、開閉扉３上面に雨水の水滴が溜まるのを防止することができる。また、本実施の形態の屋根１１の構成により、雨水が屋根１１に溜まらず、また、屋根１１から流れる雨水が保冷庫に直接かかることを防止することができる。
【符号の説明】
【００２７】
１  筐体
１ａ  筐体の底面
１ｂ  筐体の側面
１ｃ  筐体の上面
２  収納室
３  開閉扉
３ａ  開閉扉の上面
３ｂ  開閉扉の下端部（筐体との当接部）
４  脚部
５  冷却機
７  送風ファン
８  湿度センサ
９  コンセント（風供給装置用）
１０  取付けプレート
１４  コンセント（冷却機用）
Ｋ  風供給装置
Ｈ  穀粒袋  
【図１】
2014009821.tif 000003
【図２】
2014009821.tif 000004
【図３】
2014009821.tif 000005
【図４】
2014009821.tif 000006